(57)【要約】限られた個数の電力測定装置の配置場所が適切かどうかを評価する。消費電力を測定する電力使用量測定装置から電力使用量を取得し、全体の消費電力を測定する全消費電力測定装置から全消費電力量を取得し、前記電力使用量と前記全消費電力量とを合わせて出力し、前記全消費電力量における前記電力使用量が占める割合を出力する。
2015029149.tif 000002
【特許請求の範囲】
【請求項１】
全消費電力測定装置から総電力使用量を受け取り、  
前記全消費電力測定装置が前記総電力使用量を取得するエリアに設置された予め定められた数の電力使用量測定装置から、各々の電力使用量測定装置で測定された電力使用量を受け取り、
前記受け取った各々の電力使用量を合算し、
前記受け取った総電力使用量と前記合算した電力使用量の割合である電力使用量カバー率を出力部へ出力することを特徴とする電力使用量測定装置の配置評価方法。
【請求項２】
請求項１に記載の配置評価方法において、
前記電力使用量測定装置は特定の電気機器の電力使用量測定対象に対応付けて設置された固定型電力使用量測定装置と、電気機器との対応付けが可変な可変型電力測定装置を含み、
前記固定型電力使用量測定装置により測定された電力使用量と前記可変型電力使用量測定装置により測定された電力使用量とを異なる態様で表示し、前記可変型電力使用量測定装置の配置を示す配置情報と、前記配置における電力使用量カバー率とを対応付けて出力することを特徴とする電力使用量測定装置の配置評価方法。
【請求項３】
請求項２に記載の配置評価方法において、
人の位置を特定する位置特定装置から受け取った位置情報と前記可変型電力測定装置が配置される可能性のある位置情報に基づき、前記可変型電力測定装置が配置される可能性のある位置から予め定められた距離内に人がいた時間と人数に基づいた加点情報を前記可変型電力測定装置の配置される可能性のある位置情報に対応付けて出力することを特徴とする電力使用量測定装置の配置評価方法。
【請求項４】
請求項２に記載の配置評価方法において、
前記可変型電力測定装置を第一の時間帯に測定した第一の電力使用量カバー率と、
前記可変型電力測定装置の第二の時間帯に測定した第二の電力使用量カバー率とを同一画面に出力することを特徴とする電力使用量測定装置の配置評価方法。
【請求項５】
総電力使用量を出力する全消費電力測定装置と、
前記全消費電力測定装置が電力を供給するエリアに設置された、電気機器の電力使用量を測定する予め定められた数の電力使用量測定装置と、
電力使用量を解析する電力解析装置を備え、
前記電力解析装置は
全消費電力測定装置から総電力使用量を受け取り、各々の電力使用量測定装置から電力使用量を受け取り、
前記受け取った各々の電力使用量を合算し、
前記受け取った総電力使用量と前記合算した電力使用量の割合である電力使用量カバー率を算出する集計部と
算出したカバー率を表示部へ出力する結果表示処理部と
を備えることを特徴とする配置評価システム。
【請求項６】
請求項５に記載の配置評価システムにおいて、
前記電力使用量測定装置は特定の電気機器の電力使用量測定対象に対応付けて設置された固定型電力使用量測定装置と、電気機器との対応付けが可変な可変型電力測定装置を含み、
前記結果表示部は前記前記固定型電力使用量測定装置により測定された電力使用量と前記可変型電力使用量測定装置により測定された電力使用量とを異なる態様で表示し、前記可変型電力使用量測定装置の配置を示す配置情報と、前記配置における電力使用量カバー率とを対応付けて出力することを特徴とする電力使用量測定装置の配置評価システム。
【請求項７】
請求項６に記載の配置評価システムにおいて、
前記集計部は人の位置を特定する位置特定装置から受け取った位置情報と前記可変型電力測定装置が配置される可能性のある位置情報に基づき、前記可変型電力測定装置が配置される可能性のある位置から予め定められた距離内に人がいた時間と人数に基づいた加点情報を算出し、
前記結果表示部は前記加点情報を前記可変型電力測定装置の配置される可能性のある位置情報に対応付けて出力することを特徴とする電力使用量測定装置の配置評価システム。
【請求項８】
請求項６に記載の配置評価システムにおいて、
前記結果表示部は前記可変型電力測定装置を第一の時間帯に測定した第一の電力使用量カバー率と、
前記可変型電力測定装置の第二の時間帯に測定した第二の電力使用量カバー率とを同一画面に出力することを特徴とする電力使用量測定装置の配置評価システム。
【発明の詳細な説明】
【技術分野】
【０００１】
本発明は、電力使用量の測定システムおよび方法に関する。
【背景技術】
【０００２】
本特許の背景技術として、特開2012-98187（特許文献１）がある。特許文献１には「任意の場所において、家庭全体の電力を表示できる電力表示システム、及び、電力表示方法を提供する。」ことが記載されている。
【先行技術文献】
【特許文献】
【０００３】
【特許文献１】特開2012-98187
【発明の概要】
【発明が解決しようとする課題】
【０００４】
しかしながら、従来の手法では電力使用量測定装置（以下「測定装置」と記載）の配置評価方法について記載がなく、測定装置の個数が限られている場合には測定装置の配置が適切かどうかを評価することが必要となる。
【課題を解決するための手段】
【０００５】
上記課題を解決するために、例えば特許請求の範囲に記載の構成を採用する。 本願は上記課題を解決する手段を複数含んでいるが、その一例を挙げるならば以下の通りである。即ち、総電力使用量を出力する全消費電力測定装置と、前記全消費電力測定装置が電力を供給するエリアに設置された、電気機器の電力使用量を測定する予め定められた数の電力使用量測定装置と、電力使用量を解析する電力解析装置を備え、
前記電力解析装置は全消費電力測定装置から総電力使用量を受け取り、各々の電力使用量測定装置から電力使用量を受け取り、前記受け取った各々の電力使用量を合算し、前記受け取った総電力使用量と前記合算した電力使用量の割合である電力使用量カバー率を算出する集計部と、算出したカバー率を表示部へ出力する結果表示処理部とを
備えることを特徴とする。
【発明の効果】
【０００６】
本発明によれば、限られた数の測定装置を設置する場合に、その配置場所が妥当であるかを判断するための指標を提供し、比較的高価な測定装置の導入コストを削減することができる。
【図面の簡単な説明】
【０００７】
【図１】実施例１におけるシステム構成の一例を示す図である。
【図２】電力解析装置１０の構成の一例を示す図である。
【図３】電力解析装置１０における電力使用量測定装置４０の配置場所を解析する処理シーケンスの一例である。
【図４】全消費電力量データベース１１３の一例である。
【図５】集計消費電力データベース１１４の一例である。
【図６】建物内地図データベース１１５の一例である。
【図７】結果表示処理２００が示す出力結果の例である。
【図８】実施例２におけるシステム構成の一例を示す図である。
【図９】電力解析装置１０における電力使用量測定装置４０の配置場所、および利用者の位置情報を解析する処理の一例である。
【図１０】位置情報データベース１１５の一例である。
【図１１】結果表示処理１１２が示す出力結果の例である。
【図１２】結果表示処理１１２が示す出力結果の例である。
【発明を実施するための形態】
【０００８】
以下、実施例について図面を用いて説明する。なお、図面において、同一符号は、同一または相当部分を示す。また、本発明は、図示例に限定されるものではない。
【実施例１】
【０００９】
本発明に係る実施例１を、図１〜７を用いて説明する。
電力消費効率化のため、各電気機器の電力使用量を利用者に提示することで利用者に節電を促す方法がある。このためには電気機器の電力使用量を測定できる電力使用量測定装置が必要になる。しかし、測定装置が予め設置されていない建物や地域においては電力使用量測定装置が大量に必要になり、導入コストがかかるという問題がある。
本実施例は限られた個数の電力使用量測定装置を建物内や地域に配置後、配置場所の妥当性を示すことで、より効果的に電力使用量測定装置の配置場所を示す技術について説明する。【００１０】
図１は、本実施例に係るシステムの構成の一例を示した図である。
本実施例に係るシステムは、電力解析装置１０、ネットワーク２０、全消費電力測定装置３０、電力使用量測定装置４０、電気機器５０から構成され、例えば複数のオフィスや世帯が入るような建物を想定する。【００１１】
電力解析装置１０は、例えばホームゲートウェイ、ネットワークストレージ、Webサーバ、PC（Ｐｅｒｓｏｎａｌ Ｃｏｍｐｕｔｅｒ）、携帯電話などであり、ネットワークを介して他の機器と情報を共有できる機器である。【００１２】
ネットワーク２０は、例えばインターネットやローカルエリアネットワーク、ＵＳＢ（Ｕｎｉｖｅｒｓａｌ  Ｓｅｒｉａｌ  Ｂｕｓ）、リモートＵＳＢ、無線ＬＡＮ、Ｂｌｕｅｔｏｏｔｈ（登録商標）、赤外線通信、ＩＣタグ機能、ＴｒａｎｓｆｅｒＪＥＴ（登録商標）、ＬＴＥ、ＨＳＰＡ（Ｈｉｇｈ  Ｓｐｅｅｄ  Ｐａｃｋｅｔ  Ａｃｃｅｓｓ）、ＥＶ−ＤＯ（Ｅｖｏｌｕｔｉｏｎ  Ｄａｔａ  Ｏｎｌｙ）などである。電力解析装置１０と電力使用量測定装置４０はネットワーク２０を介して相互に接続できる。【００１３】
全消費電力測定装置３０は、建物全体や地域の消費電力を測定する装置である。例えばスマートメーター、建物の受電設備、地域の変電設備等が考えられる。
電力使用量測定装置４０は、個々の電力機器の消費電力を測定する装置である。自身あるいは自身を通過する電力機器５０の電力を測定し、ネットワーク２０を介して電力解析装置１０に電力使用量と配置位置を提供する装置である。また電力使用量測定装置４０の例としては、コンセントに設置して使用するスマートタップや、自身に電力測定と送信機能を備えた、デジタルテレビ、照明、ＰＣ、充電器、サーバ、空調機、扇風機、加湿器、空気清浄機などがある。また、電力使用量測定装置４０の配置位置は利用者が直接入力してもよく、電力使用量測定装置４０自身が建物内の位置情報を受信してもよい。
電気機器５０は電力使用量を測定する対象の機器である。例えば、デジタルテレビ、照明、ＰＣ（Ｐｅｒｓｏｎａｌ  Ｃｏｍｐｕｔｅｒ）、充電器、サーバ、扇風機、空調機、加湿器、空気清浄機などがある。なお、本実施例では、建物内の各所に配置された電力使用量測定装置４０が全ての電気機器５０の消費電力を測定できないことが考えられるため電力使用量測定装置と接続されていない電気機器があってもよい。
図２は、電力解析装置１０の構成の一例を示す図である。
電力解析装置１０は、通信部１０１、入力部１０２、表示部１０３、制御部１０４、電源供給部１０５、ストレージ１０６、メモリ１０７、バス１０８、を備える。【００１４】
なお、電力解析装置１０は、集計部１０９、状態判定処理部１１０、電力比較処理部１１１、結果表示処理部１１２をストレージ１０６に格納しており、制御部１０４がストレージ１０６から上記処理部に対応するプログラムモジュールをメモリ１０７に展開し、制御部１０４が上記プログラムモジュールを実行することで本実施例の処理を実現できる。なお、プログラムは、端末が出荷されるまでに予めストレージに格納されていても良いし、ＣＤ（Ｃｏｍｐａｃｔ  Ｄｉｓｋ）・ＤＶＤ（Ｄｉｇｉｔａｌ  Ｖｅｒｓａｔｉｌｅ  Ｄｉｓｋ）・ＢｌｕｅＲａｙＤｉｓｃ（登録商標）などの光学メディアや半導体メモリ等の媒体に格納されて図示しない媒体接続部を介して端末にインストールされても良い。また、通信部１０１を介して外部ネットワーク２０からダウンロード、若しくは基地局からダウンロードしてインストールすることも可能である。【００１５】
また、集計部１０９、状態判定処理部１１０、電力比較処理部１１１、結果表示処理部１１２は、同様の機能を持つ処理部として、ハードウェアで実現することも可能である。ハードウェアとして実現する場合は、各処理部が主体となって各機能を実現する。【００１６】
通信部１０１は、無線ＬＡＮ、Ｂｌｕｅｔｏｏｔｈ（登録商標）、赤外線通信、ＩＣタグ機能、ＴｒａｎｓｆｅｒＪＥＴ（登録商標）、ＬＴＥ（Ｌｏｎｇ  Ｔｅｒｍ  Ｅｖｏｌｕｔｉｏｎ）、ＨＳＰＡ（Ｈｉｇｈ  Ｓｐｅｅｄ  Ｐａｃｋｅｔ  Ａｃｃｅｓｓ）、ＥＶ−ＤＯ（Ｅｖｏｌｕｔｉｏｎ  Ｄａｔａ  Ｏｎｌｙ）、及びＷｉＭＡＸ（登録商標）等の無線通信機能、または、Ｅｔｈｅｒｎｅｔ（登録商標）等の有線通信機能を備え、各種の情報を送受信する。無線通信機能は、アンテナ、及び変復調回路等を含む。有線通信機能は、コネクタ、及び変復調回路等を含む。情報の送受信には、ネットワークを介して行うネットワーク通信と、ネットワークを介さずに各機器間で直接通信を行う直接通信（例えばＢｌｕｅｔｏｏｔｈ（登録商標）、ワイヤレスＵＳＢ、Ｆｅｌｉｃａ（登録商標）、ＺｉｇＢｅｅ（登録商標）、Ｚ−ＷＡＶＥ（登録商標）、可視光通信、赤外線通信、ＮＦＣ（Ｎｅａｒ  Ｆｉｅｌｄ  Ｃｏｍｍｕｎｉｃａｔｉｏｎ）（登録商標））を適宜切り替えて使用できる。通信部１０１は、複数の通信方式に対応するよう構成されても良い。
入力部１０２は、キーボード、マウス、カーソルキー、及びテンキー等の一または複数を備え、ユーザの操作を受け付け、当該操作に基づいた入力信号を制御部１０４に入力する。なお、音声認識、画像認識、またはジェスチャ認識等によって入力信号を生成し、制御部１０４に入力するようにしても良い。なお、タッチパネルのように、表示部１０３と入力部１０２とが一体となった構成であっても良い。
表示部１０３は、液晶ディスプレイ、有機ＥＬ（Ｅｌｅｃｔｒｏ−Ｌｕｍｉｎｅｓｃｅｎｃｅ）ディスプレイ、及び電子ペーパー等のパネル並びにドライバ回路等から構成され、制御部１０４の制御下にて任意の情報（例えば、文字、静止画、及び動画等）を表示する。なお、表示部１０３は、それぞれ異なる情報を表示可能な複数のパネルを有していても良い。【００１７】
制御部１０４は、ＣＰＵ（Ｃｅｎｔｒａｌ  Ｐｒｏｃｅｓｓｉｏｎｇ  Ｕｎｉｔ）、ＭＰＵ（Ｍｉｃｒｏ  Ｐｒｏｃｅｓｓｉｏｎｇ  Ｕｎｉｔ）、及びＤＳＰ（Ｄｉｇｉｔａｌ  Ｓｉｇｎａｌ  Ｐｒｏｃｅｓｓｏｒ）等から構成され、所定のプログラムを実行するなどして、電力解析装置１０全体の動作を制御する。後述するフローチャート等を始めとする本実施例の処理動作も、特段の注釈がない限り、制御部１０４により実行されるものとする。
電源供給部１０５は、バッテリ、ＡＣアダプタ、及び充電回路等から構成され、電力解析装置１０の各部への電源供給や、バッテリへの充電を行う。また、電力解析装置１０がバッテリ駆動されているか、ＡＣアダプタ駆動されているかといった状態確認や、バッテリの残量確認を行う。【００１８】
ストレージ１０６は、電力解析装置１０に内蔵される記録媒体や、取り外し可能な外部記録媒体や光ディスクなどから構成され、各種の情報を記憶する。例えば、制御部１０４の指示により制御され、アプリケーションプログラムを保存することができる。また、アプリケーションプログラムで作成した各種情報を保存する。例えば、電力解析装置１０が設置されている建物全体の消費電力を管理する全消費電力量データベース１１３、電力使用量測定装置４０の測定した消費電力を管理する集計消費電力量データベース１１４、建物内で電力使用量測定装置４０が使われる場所を示した位置情報データベース１１５を保存する。【００１９】
メモリ１０７は、ＤＲＡＭ（Ｄｙｎａｍｉｃ  Ｒａｎｄｏｍ  Ａｃｃｅｓｓ  Ｍｅｍｏｒｙ）などから構成され、制御部１０２の指示により制御される。メモリ１０６に、ストレージ１０３に格納しているアプリケーションプログラムの機能部が展開される。【００２０】
バス１０８は、各部が相互に信号を伝送するための伝送路である。【００２１】
図３は、電力解析装置１０における電力使用量測定装置４０の配置場所を解析する処理の一例である。
集計部１０９は、全消費電力測定装置５０から建物全体の消費電力を取得し、全消費電力量データベース１１３に保存する（Ｓ１０１）。
図４は、全消費電力データベース１１３の一例である。建物全体の消費電力について、集計日と対応付けてて記録する。
次に、集計１０９は、各電力使用量測定装置４０から測定電力を受信し、集計消費電力量データベース１１４に保存する（Ｓ１０２）。
図５は、集計消費電力データベース１１４の一例である。複数の電力使用量測定装置４０について、機器情報１２０、集計日１２１、時間帯１２２、配置情報（１２３，１２４，１２５）、測定電力１２６を記録する。測定電力は測定機器単位で複数の時間帯の電力使用量を対応する機器情報、配置情報と対応付けて格納しても良い。
ここで、状態１１２は電力使用量測定装置４０が電気機器に組み込まれているかどうかを示す。電気機器に組み込まれており他の場所へ移設できないものを「固定」、スマートタップのように他のコンセントに移設することにより、他の電気機器の電力使用量を測定可能な電力使用量測定装置を「可変」と表示する。
次に、状態判定処理１１０は、集計消費電力量データベース１１４内の各測定機器が固定か可変かを判定し、結果を追記する（Ｓ１０３）。例えば測定機器から可変の測定機器であることを示す情報を受け取ってデータベースに入力しても良いし、設置場所を入力するときにマニュアルで入力しても良い。
次に、電力比較処理１０７３は、全消費電力データベース１０６１と集計消費電力量データベース１０６２を比較し、電力使用量測定装置４０が建物全体の消費電力をどの程度測定できているかを調べる（Ｓ１０４）。
次に結果表示処理部１１２が位置情報データベース１１５とＳ１０４の結果から、電力使用量測定装置４０が建物全体の消費電力を測定する割合を表示する（Ｓ１０５）。
図６は、位置情報データベース１１５の一例である。電力使用量測定装置４０が配置される場所全てについて建物、階、場所の情報を保存する。場所情報の例としてはコンセントの位置などがある。
図７は、結果表示処理部１１２が示す出力結果の例である。図７では、建物内のすべての電力使用量測定装置設置場所について、測定機器の種別と、建物全体の消費電力に占める測定電力の割合を集計した結果が出力される。電力使用量測定装置４０が取り付けられていない場合は、建物全体の消費電力に占める測定電力の割合は0%となる。図７では固定の割合が30%、可変の割合が50%であり、電力使用量測定装置４０が測定していない消費電力があと20%あることになる。このとき、状態が固定である電力使用量測定装置４０に取り付けられている電気機器５０は、サーバなど時間に対して測定電力が変わらないので電力使用量測定装置４０の取り付けによる節電効果は低いと推測される。そこで、利用者がまだ電力使用量測定装置４０が取り付けられていない電力使用量の時間的変化がある場所へ付け替えることで、残り20%に該当する配置場所の消費電力を知ることが可能となり、電力使用量測定装置４０を適切に配置できる。
また、図７ではある一定期間の電力使用量のうち測定機器により測定できた使用量の割合を示しているが、例えば1時間単位に測定できた使用量の割合を求め、測定できた使用量の割合の変化を求めることにより、測定時間毎に適切な測定機器の配置となっているかどうかを知ることも可能である。
特に、電力使用量のピーク時間帯における総使用量の低減は電力供給契約を順守するためにも重要であり、ピーク時間帯にどの電気機器が電力を使用しているのかを把握するための情報提供が可能となる。
さらに固定型の測定機器と可変型の測定機器の表示を色の変化等の表示態様を変えて表示することにより、測定箇所の変更が可能な可変型の測定機器の情報が明確となり、評価結果を理解しやすくなる。【００２２】
以上のように、本実施例によれば、電力使用量測定装置４０が限られた個数しか使えなくても測定装置の配置場所が正しいかを把握することができる。
【実施例２】
【００２３】
本発明に係る実施例２を、図８〜図１１を用いて説明する。実施例１では、利用者が配置した電力使用量測定装置４０から測定電力の割合を表示し、配置場所の正しさを示す方法を説明したが、本実施例では、利用者が電力使用量測定装置４０の配置場所を検討する際に、複数の建物、地域利用者が特定の場所に滞在する場合電力を使う傾向があるという前提で、利用者の滞在情報を活用して、電力使用量測定装置４０の配置場所候補を示す場合を説明する。
図８は、本実施例に係るシステムの構成の一例を示した図である。図８の構成のうち、すでに説明した図１に示された同一の符号を付された構成と同一の機能を有する構成については、説明を省略する。
本実施例における電力解析装置１０は、図２の構成に加え、ストレージ１０６の位置情報データベース１１５に測定機器の位置に関する情報だけでなく、電気機器を使用するユーザの位置情報を含み、メモリ１０７の集計部１０９では位置集計処理も行う。
位置特定装置６０は、人の位置を特定する装置である。位置を特定する仕組みには例えばＧＰＳ（Ｇｌｏｂａｌ  Ｐｏｓｉｔｉｏｎｉｎｇ  Ｓｙｓｔｅｍ）、ＩＭＥＳ（Ｉｎｄｏｏｒ  ＭＥｓｓａｇｉｎｇ  Ｓｙｓｔｅｍ）、入退出管理システムなどがある。ＧＰＳやＩＭＥＳを用いる場合、ＧＰＳ機能を搭載した電子機器端末を人が所持し、電子機器端末の位置情報を位置特定装置６０が定期的に受信する方法が考えられる。この場合、電子機器端末の例として携帯電話、スマートフォン、タブレット端末などがある。また、入退出管理システムを用いる場合、入退出管理システムが識別できるカードや電子機器端末を人が所持し、カードや電子機器端末が入退出管理システムからの入場または退場の情報を受信する方法などが考えられる。この場合、カードの例として、ＩＣ（Ｉｎｔｅｇｒａｔｅｄ  Ｃｉｒｃｕｉｔ）カード、非接触カード、Ｆｅｌｉｃａ（登録商標）などがあり、電子機器端末の例としては、携帯電話、スマートフォン、タブレット端末などがある。なお、位置特定装置６０は複数あってもよい。
図９は、電力解析装置１０における電力使用量測定装置４０の配置場所、および利用者の位置情報を解析する処理の一例である。Ｓ２０１からＳ２０４は図３のＳ１０１からＳ１０４と同一であるため説明を省略する。【００２４】
集計１０９は、位置特定装置６０から人の位置情報と滞在時間を受信し、位置情報データベース１１５に保存する（Ｓ２０５）。【００２５】
集計部１０９は、位置情報データベース１１５より、各場所において滞在時間と人数で加点し、加点結果を算出する（Ｓ２０６）。例えば、１時間いた場合加点を１とし、２時間いれば２とする。またはある場所に１人いた場合加点を１とし、２人いれば２とする。
図１０は位置情報データベース１１５の一例である。図１０は図６の位置情報データベースに人の位置情報に関するデータを対応付けて格納したものである。建物内の各場所について、位置特定装置６０の数を人数として集計し、時間帯を保存し、加点結果を保存する。【００２６】
次に、結果表示処理１０７４が、位置情報データベース１１５と、Ｓ２０４、Ｓ２０６の結果から電力使用量測定装置４０が建物全体の消費電力を測定する割合と、利用者の位置情報から電力使用量測定装置４０の配置場所候補を表示する（Ｓ２０７）。【００２７】
図１１は結果表示処理１１２が示す出力結果の例である。図１１では配置場所候補を示す場所を利用者が選択できる。例えば、上の画面で建物名を選択し、下側の画面で階数や場所を選択後、「表示」ボタンを選択する。これにより調査範囲が広くても場所を絞って再配置場所を表示することができる。また、「全て選択」を選択することで、全ての調査範囲での再配置場所を表示することも可能である。「表示」ボタン選択後に表示される画面が図１２である。広い地域や規模の大きい建築物では複数の企業や組織が使用することが多いため、企業、組織、行政区分の単位で表示することにより、電力使用量の大きいユーザを特定し節電対策をすることが可能となる。
図１２は結果表示処理１１２が示す出力結果の例である。建物内のすべての電力使用場所について、測定電力の状態と、建物全体の消費電力に占める測定電力の割合を集計した結果、図１０で保存した加点ポイント、加点ポイントに基づいた配置優先順位を表示し、さらに、優先順位の高い場所から配置を促すメッセージや図を表示する。
図１２の別館２階の西側１Aでは、測定電力の割合0%であることから電力使用量測定装置４０は配置されていない。しかし、加点ポイントが２５〜３５と他の場所に比べて大きいことから人の移動があり、電力機器５０が使われている可能性がある。さらに、加点ポイントが増加傾向にあり、かつ合計値も最も高いため、電力使用量測定装置４０の配置優先順位が最大と評価されている。別館１階東側１Aでも同様に電力使用量測定装置４０は配置されていないが、加点ポイントがある。加点ポイントの合計値が別館２階西側１Aより低いことから、配置優先順位は２番目と評価されている。
一方、本館１階の西側1Aでは、電力使用量測定装置４０が現状配置されているが、測定電力は減少傾向にある。また、加点ポイントも減少している。このことからこの場所は例えば事務所や事業所の引っ越しの可能性があり、電力使用量測定装置４０の配置優先順位は最も低く設定されている。このような場合、利用者は例えば、本館１階西側１Aに配置した電力使用量測定装置４０を別館２階西側１Aに付け替えることで、電力使用量測定装置４０を効率的に利用することができる。
また、過去に測定機器が設置されたが、現在は設置されていない場所においては、過去に設置されていたときの電力使用量を基に評価を行っても良い。
以上のように、本実施例によれば、利用者が建物内の場所に滞在する時間から、電力使用量測定装置４０の配置場所候補を示すことができるので、限られた電力使用量測定装置４０の配置場所を効率的に配置できる。
また、本実施例によれば、人の位置情報を元にした加点情報を用いることにより、過去に電力使用量を測定したことの無い場所においても測定の必要性を知ることが可能となる。
【符号の説明】
【００２８】
１０      電力解析装置
２０      ネットワーク
３０      全消費電力測定装置
４０      電力使用量測定装置
５０      電気機器
６０      位置特定装置
１０１    通信部
１０２    入力部
１０３    表示部
１０４    制御部
１０５    電源供給部
１０６    ストレージ
１０７    メモリ
１０８    バス
１０９    集計部
１１０    状態判定処理部
１１１    電力比較処理部
１１２    結果表示処理部
１１３    全消費電力量データベース
１１４    集計消費電力量データベース
１１５    位置情報データベース
【図１】
2015029149.tif 000003
【図２】
2015029149.tif 000004
【図３】
2015029149.tif 000005
【図４】
2015029149.tif 000006
【図５】
2015029149.tif 000007
【図６】
2015029149.tif 000008
【図７】
2015029149.tif 000009
【図８】
2015029149.tif 000010
【図９】
2015029149.tif 000011
【図１０】
2015029149.tif 000012
【図１１】
2015029149.tif 000013
【図１２】
2015029149.tif 000014
【手続補正書】
【提出日】平成28年11月17日(2016.11.17)
【手続補正１】
【補正対象書類名】特許請求の範囲
【補正対象項目名】全文
【補正方法】変更
【補正の内容】
【特許請求の範囲】
【請求項１】
電気機器が複数設置されたエリアの総電力使用量を測定する全消費電力測定装置と前記エリアに設置された電気機器の電力使用量を測定する前記電気機器の数より少ない数の電力使用量測定装置とが接続された電力解析装置における電力使用量測定装置の配置評価支援方法であって、
前記電力解析装置が、
前記全消費電力測定装置から総電力使用量を受け取り、
前記電力使用量測定装置の各々で測定された電力使用量を受け取り、
前記受け取った総電力使用量に対する前記電気機器毎の電力使用量の割合である電力使用量カバー率と、前記電力使用量カバー率の合算値を表示部に出力して、
電力使用量測定装置の付け替え指標を提供する
ことを特徴とする電力使用量測定装置の配置評価支援方法。
【請求項２】
請求項１に記載の配置評価支援方法において、
前記電力使用量測定装置は、特定の電気機器に対応付けて設置されている固定の設置状態の電力使用量測定装置と、電力使用量測定装置と電気機器との対応付けを変更可能に設置されている可変の設置状態の電力使用量測定装置と、から成り、
前記電力解析装置は、
前記電気機器毎に、前記電力使用量カバー率に対応付けて、電力使用量測定装置の配置情報と電力使用量測定装置の設置状態とを表示部に出力するとともに、
前記電力使用量カバー率と前記配置情報と前記設置状態の表示を、前記電力使用量測定装置の設置状態に応じて異なる態様で表示する
ことを特徴とする電力使用量測定装置の配置評価支援方法。
【請求項３】
請求項２に記載の配置評価支援方法において、
前記電力解析装置は、
位置特定装置から人の位置を特定する位置情報と滞在時間を受け取り、
前記電気機器毎に、電力使用量測定装置の配置情報と前記位置情報とから前記位置特定装置の数を人数として求めて、前記滞在時間と前記人数とから加点情報を算出し、
前記電気機器毎に、前記電力使用量カバー率と前記配置情報と前記加点情報とを対応付けて表示部に出力する
ことを特徴とする電力使用量測定装置の配置評価支援方法。
【請求項４】
請求項２に記載の配置評価支援方法において、
前記電力解析装置は、
前記電力使用量測定装置が第一の時間帯に測定した第一の電力使用量カバー率と、
前記電力使用量測定装置が前記第一の時間帯とは異なる第二の時間帯に測定した第二の電力使用量カバー率とを表示部の同一画面に出力する
ことを特徴とする電力使用量測定装置の配置評価支援方法。
【請求項５】
配置評価支援システムは、
電気機器が複数設置されたエリアの総電力使用量を測定する全消費電力測定装置と、
前記エリアに設置された電気機器の電力使用量を測定する電気機器の数より少ない数の電力使用量測定装置と、
前記全消費電力測定装置と前記電力使用量測定装置とに接続する電力解析装置と、を有し、
前記電力解析装置が、
表示部と、
全消費電力測定装置から総電力使用量を受け取り、各々の電力使用量測定装置から電力使用量を受け取る集計部と、
前記総電力使用量に対する電力使用量の割合である電力使用量カバー率を算出する電力比較処理部と、
前記電気機器毎の前記電力使用量カバー率と、前記電力使用量カバー率の合算値を前記表示部に出力する結果表示処理部と、
を備え、電力使用量測定装置の付け替え指標を提供することを特徴とする配置評価支援システム。
【請求項６】
請求項５に記載の配置評価支援システムにおいて、
前記電力使用量測定装置は、特定の電気機器に対応付けて設置されている固定の設置状態の電力使用量測定装置と、電力使用量測定装置と電気機器との対応付けが変更可能に設置されている可変の設置状態の電力使用量測定装置と、から成り、
前記結果表示処理部は、
前記電気機器毎に、前記電力使用量カバー率に対応付けて、電力使用量測定装置の配置情報と電力使用量測定装置の設置状態とを表示部に出力するとともに、
前記電力使用量カバー率と前記配置情報と前記設置状態の表示を、前記電力使用量測定装置の設置状態に応じて異なる態様で表示する
ことを特徴とする配置評価支援システム。
【請求項７】
請求項６に記載の配置評価支援システムにおいて、
さらに、人の位置を特定する位置特定装置を有し、
前記集計部は、
位置特定装置から人の位置を特定する位置情報と滞在時間を受け取り、
前記電気機器毎に、電力使用量測定装置の配置情報と前記位置情報とから前記位置特定装置の数を人数として求めて、前記滞在時間と前記人数とから加点情報を算出し、
前記結果表示処理部は、
前記電気機器毎に、前記電力使用量カバー率と前記配置情報と前記加点情報とを対応付けて表示部に出力する
ことを特徴とする配置評価支援システム。
【請求項８】
請求項６に記載の配置評価支援システムにおいて、
前記結果表示処理部は、
前記電力使用量測定装置が第一の時間帯に測定した第一の電力使用量カバー率と、
前記電力使用量測定装置が前記第一の時間帯とは異なる第二の時間帯に測定した第二の電力使用量カバー率とを表示部の同一画面に出力する
ことを特徴とする配置評価支援システム。
【手続補正３】
【補正対象書類名】明細書
【補正対象項目名】０００５
【補正方法】変更
【補正の内容】
【０００５】
上記課題を解決するために、例えば特許請求の範囲に記載の構成を採用する。本願は上記課題を解決する手段を複数含んでいるが、その一例を挙げるならば以下の通りである。即ち、本発明の
配置評価支援システムは、
電気機器が複数設置されたエリアの総電力使用量を測定する全消費電力測定装置と、
前記エリアに設置された電気機器の電力使用量を測定する電気機器の数より少ない数の電力使用量測定装置と、
前記全消費電力測定装置と前記電力使用量測定装置とに接続する電力解析装置と、を有し、
前記電力解析装置が、表示部と、全消費電力測定装置から総電力使用量を受け取り、各々の電力使用量測定装置から電力使用量を受け取る集計部と、前記総電力使用量に対する電力使用量の割合である電力使用量カバー率を算出する電力比較処理部と、前記電気機器毎の前記電力使用量カバー率と、前記電力使用量カバー率の合算値を前記表示部に出力する結果表示処理部と、を備え、電力使用量測定装置の付け替え指標を提供することを特徴とする。
【手続補正４】
【補正対象書類名】明細書
【補正対象項目名】００２１
【補正方法】変更
【補正の内容】
【００２１】
図３は、電力解析装置１０における電力使用量測定装置４０の配置場所を解析する処理の一例である。
集計部１０９は、全消費電力測定装置５０から建物全体の消費電力を取得し、全消費電力量データベース１１３に保存する（Ｓ１０１）。
図４は、全消費電力データベース１１３の一例である。建物全体の消費電力について、集計日と対応付けてて記録する。
次に、集計１０９は、各電力使用量測定装置４０から測定電力を受信し、集計消費電力量データベース１１４に保存する（Ｓ１０２）。
図５は、集計消費電力データベース１１４の一例である。複数の電力使用量測定装置４０について、機器情報１２０、集計日１２１、時間帯１２２、配置情報（１２３，１２４，１２５）、測定電力１２６を記録する。測定電力は測定機器単位で複数の時間帯の電力使用量を対応する機器情報、配置情報と対応付けて格納しても良い。
ここで、状態１２７は電力使用量測定装置４０が電気機器に組み込まれているかどうかを示す。電気機器に組み込まれており他の場所へ移設できないものを「固定」、スマートタップのように他のコンセントに移設することにより、他の電気機器の電力使用量を測定可能な電力使用量測定装置を「可変」と表示する。
次に、状態判定処理１１０は、集計消費電力量データベース１１４内の各測定機器が固定か可変かを判定し、結果を追記する（Ｓ１０３）。例えば測定機器から可変の測定機器であることを示す情報を受け取ってデータベースに入力しても良いし、設置場所を入力するときにマニュアルで入力しても良い。
次に、電力比較処理１０７３は、全消費電力データベース１０６１と集計消費電力量データベース１０６２を比較し、電力使用量測定装置４０が建物全体の消費電力をどの程度測定できているかを調べる（Ｓ１０４）。
次に結果表示処理部１１２が位置情報データベース１１５とＳ１０４の結果から、電力使用量測定装置４０が建物全体の消費電力を測定する割合を表示する（Ｓ１０５）。
図６は、位置情報データベース１１５の一例である。電力使用量測定装置４０が配置される場所全てについて建物、階、場所の情報を保存する。場所情報の例としてはコンセントの位置などがある。
図７は、結果表示処理部１１２が示す出力結果の例である。図７では、建物内のすべての電気機器５０の設置場所について、測定機器の種別である測定電力の状態２０４と、建物全体の消費電力に占める測定電力の割合を集計した結果が出力される。電力使用量測定装置４０が取り付けられていない場合は、建物全体の消費電力に占める測定電力の割合は0%となる。図７では固定の割合が30%、可変の割合が50%であり、電力使用量測定装置４０が測定していない消費電力があと20%あることになる。このとき、状態が固定である電力使用量測定装置４０に取り付けられている電気機器５０は、サーバなど時間に対して測定電力が変わらないので電力使用量測定装置４０の取り付けによる節電効果は低いと推測される。そこで、利用者がまだ電力使用量測定装置４０が取り付けられていない電力使用量の時間的変化がある場所へ付け替えることで、残り20%に該当する配置場所の消費電力を知ることが可能となり、電力使用量測定装置４０を適切に配置できる。
また、図７ではある一定期間の電力使用量のうち測定機器により測定できた使用量の割合を示しているが、例えば1時間単位に測定できた使用量の割合を求め、測定できた使用量の割合の変化を求めることにより、測定時間毎に適切な測定機器の配置となっているかどうかを知ることも可能である。
特に、電力使用量のピーク時間帯における総使用量の低減は電力供給契約を順守するためにも重要であり、ピーク時間帯にどの電気機器が電力を使用しているのかを把握するための情報提供が可能となる。
さらに固定型の測定機器と可変型の測定機器の表示を色の変化等の表示態様を変えて表示することにより、測定箇所の変更が可能な可変型の測定機器の情報が明確となり、評価結果を理解しやすくなる。
【国際調査報告】
2015029149.tif 000015
2015029149.tif 000016